(57)【要約】　　　（修正有）【課題】2つの電子装置の間に応用され、パワーサプライを外付けする必要なく、外付けの携帯式電子装置が使用できるようにする電流制御装置及び方法を提供する。【解決手段】少なくとも第1の電子装置及び第2の電子装置に接続された電流制御装置は受け取った電流源の電流を調整増幅し出力でき、前記第1の電子装置の転送インタフェースからの限られた電流源の電流を調整増幅し、第2の電子装置の転送インタフェースにより、第2の電子装置が使用できる。また、第1の電子装置の転送インタフェースからの限られた電流源の電流により、前記電流制御装置の充電モジュールに充電を行い、前記充電モジュールから提供された電源と、第1の電子装置の転送インタフェースからの限られた電流源の電流とを併合し、併合された電源電流を、第2の電子装置の転送インタフェースにより、第2の電子装置が使用できる。【選択図】図１
2004078951.tif 000002
【特許請求の範囲】
【請求項１】
　少なくとも第1の電子装置及び第2の電子装置に接続された電流制御装置に応用され、パワーサプライを外付けする必要なく、前記電流制御装置が、受け取った電流源の電流を調整増幅し出力できる電流制御方法において、
　前記電流制御装置は前記第1の電子装置の転送インタフェースからの限られた電流源の
電流を調整増幅し、調整増幅された電流を第2の電子装置の転送インタフェースにより、
第2の電子装置が使用できるように提供するプロセスを、
　備えることを特徴とする電流制御方法。
【請求項２】
　第1の電子装置及び第2の電子装置に接続された電流制御装置に応用され、パワーサプライを外付けする必要なく、前記電流制御装置が、受け取った電流源の電流を調整増幅し出力できる電流制御方法において、
　（１）前記電流制御装置は第1の電子装置の転送インタフェースからの限られた電流源
の電流により、前記電流制御装置の充電モジュールに充電を行うプロセスと、
　（２）前記充電モジュールから提供された電源と、第1の電子装置の転送インタフェー
スからの限られた電流源の電流とを併合し、併合された電源電流を、第2の電子装置の転
送インタフェースにより、第2の電子装置が使用できるように提供するプロセスと、
　を備えることを特徴とする電流制御方法。
【請求項３】
　前記電流制御装置は前記第1の電子装置の転送インタフェースからの限られた電流源の
電流を調整増幅できることを特徴とする請求項２に記載の電流制御方法。
【請求項４】
　前記電流制御装置は第2の電子装置に調整増幅された電流を提供できるほか、限られた
電流源の定格電流を第2の電子装置が使用できるように提供しており、前記第1の電子装置の転送インタフェースからの限られた電流源の電流に電圧レギュレータによるフィルタ処理を行い、限られた電流源の定格電流を、第2の電子装置の転送インタフェースにより、
第2の電子装置が使用できるように提供することを特徴とする請求項１または請求項３に
記載の電流制御方法。
【請求項５】
　電流調整増幅のプロセスにおいて、
　（１）前記電流制御装置が前記第1の電子装置の転送インタフェースからの電源を第1段階電圧に調整増幅するステップと、
　（２）前記電流制御装置が第1段階電圧を第2段階電圧に調整増幅するステップと、
　（３）前記電流制御装置が第2段階電圧を第3段階電圧に調整増幅するステップと、
　を備えることを特徴とする請求項１に記載の電流制御方法。
【請求項６】
　前記第1段階電圧は4ボルトであることを特徴とする請求項５に記載の電流制御方法。
【請求項７】
　前記第2段階電圧は4.8ボルトであることを特徴とする請求項５または請求項６に記載の電流制御方法。
【請求項８】
　前記第3段階電圧は4.95ボルトであることを特徴とする請求項５または請求項６に記載
の電流制御方法。
【請求項９】
　前記第1の電子装置の転送インタフェースはUSBインタフェースであることを特徴とする請求項１、２、３、５、または請求項６に記載の電流制御方法。
【請求項１０】
　前記第1の電子装置の転送インタフェースはPCMCIAインタフェースであることを特徴と
する請求項１、２、３、５、または請求項６に記載の電流制御方法。
【請求項１１】
　前記第1の電子装置の転送インタフェースはIEEE1394インタフェースであることを特徴
とする請求項１、２、３、５、または請求項６に記載の電流制御方法。
【請求項１２】
　前記第1の電子装置はノートブックパソコンであることを特徴とする請求項１、２、３
、５、または請求項６に記載の電流制御方法。
【請求項１３】
　前記第1の電子装置デスクトップパソコンであることを特徴とする請求項１、２、３、
５、または請求項６に記載の電流制御方法。
【請求項１４】
　前記第2の電子装置の転送インタフェースはUSBインタフェースであることを特徴とする請求項１、２、３、５、または請求項６に記載の電流制御方法。
【請求項１５】
　前記第2の電子装置の転送インタフェースはPCMCIAインタフェースであることを特徴と
する請求項１、２、３、５、または請求項６に記載の電流制御方法。
【請求項１６】
　前記第2の電子装置の転送インタフェースはIEEE1394インタフェースであることを特徴
とする請求項１、２、３、５、または請求項６に記載の電流制御方法。
【請求項１７】
　前記第2の電子装置はハードディスクであることを特徴とする請求項１、２、３、５、
または請求項６に記載の電流制御方法。
【請求項１８】
　前記第2の電子装置は光ディスクプレーヤーであることを特徴とする請求項１、２、３
、５、または請求項６に記載の電流制御方法。
【請求項１９】
　前記第2の電子装置は光ディスクレコーダーであることを特徴とする請求項１、２、３
、５、または請求項６に記載の電流制御方法。
【請求項２０】
　第3の電子装置及び第4の電子装置に接続された電流制御装置であって、パワーサプライを外付けする必要がなく、前記電流制御装置は受け取った電流源の電流を調整増幅し出力でき、当該電流制御装置は充電モジュールを備えており、
　前記充電モジュールは、前記第3の電子装置により前記電流制御装置に入力された限ら
れた電流源の電流で、充電を行い、前記充電モジュールは充電された後に電源を提供でき、前記充電モジュールから提供された電源は、前記電流制御装置に入力された限られた電流源の電流と併合し、併合された電源電流を、前記第4の電子装置に出力することを特徴
とする電流制御装置。
【請求項２１】
　第3の電子装置及び第4の電子装置に接続された電流制御装置であって、前記電流制御装置の1つの転送インタフェースは前記第3の電子装置の転送インタフェースに接続され、前記電流制御装置のもうひとつの転送インタフェースは前記第4の電子装置の転送インタフ
ェースに接続され、パワーサプライを外付けする必要なく、前記電流制御装置に入力された電流源の電流を調整増幅し出力する電流制御装置であり、当該電流制御装置は充電モジュールを備えており、
　前記充電モジュールは前記第3の電子装置の転送インターフェースからの限られた電流
源の電流により、充電を行い、前記充電モジュールは充電された後に電源を提供でき、前記充電モジュールから提供された電源は、前記電流制御装置に入力された前記第3の電子
装置の転送インターフェースからの限られた電流源の電流と併合し、併合された電源を、前記第4の電子装置の転送インターフェースにより、前記第4の電子装置が使用できるように提供することを特徴とする電流制御装置。
【請求項２２】
　少なくとも第3の電子装置及び第4の電子装置に接続された電流制御装置であって、前記電流制御装置の1つの転送インタフェースは前記第3の電子装置の転送インタフェースに接続され、前記電流制御装置のもうひとつの転送インタフェースは前記第4の電子装置の転
送インタフェースに接続され、パワーサプライを外付けする必要なく、前記電流制御装置に入力された電流源の電流を調整増幅し出力する電流制御装置において、
　電流制御回路モジュールの電流により充電を行う充電モジュールと、
　第3の電子装置の転送インタフェースからの限られた電流源の電流を制御し監視して、
充電モジュールに充電を行い、充電モジュールが特定のボルトまで充電されると、電源混合制御モジュールの併合型スイッチをスタートし、電源混合制御モジュールが充電モジュールからの電源と、第3の電子装置の転送インタフェースからの限られた電流源の電源と
を併合するようにする電流制御回路モジュールと、
　併合型スイッチを含んでおり、充電モジュールの充電が完成する直前に、電流制御回路モジュールの制御により、第3の電子装置の転送インタフェースからの限られた電流源の
給電電流と、充電モジュールの充電完了後から提供された電源とを併合し、併合された電流を第4の電子装置の転送インタフェースにより、第４の電子装置が使用できるように提
供する電源混合制御モジュールと、
　を備えることを特徴とする電流制御装置。
【請求項２３】
　前記電流制御回路モジュールは、
　第3の電子装置の転送インタフェースからの限られた電流源の電流を受け取り、この電
流によって充電モジュールに充電を行う制限電流源自動充電回路と、
制限電流源自動充電回路が充電モジュールを特定のボルトに到達させた後に、制限電流源自動充電回路の充電モジュールに対する充電電流が第1の特定のアンペアに低下されるこ
ととなり、第2の特定のアンペア電流を提供し、充電モジュールに充電を行い続ける電流
増幅回路と、
　制限電流源自動充電回路、及び電流増幅回路を制御し監視して、充電モジュールに定電流の充電をいかに行うかを決め、充電モジュールが第2の特定のボルトに充電された後に
、電源混合制御モジュールの併合型スイッチがスタートし、電源混合制御モジュールが第3の電子装置の転送インタフェースからの限られた電流源の給電電流、及び充電モジュー
ルの充電完了後から提供された電源を併合し、併合された電流を第4の電子装置の転送イ
ンタフェースにより、第4の電子装置が使用できるように提供するマイクロプロセッサー
回路と、
　を備えることを特徴とする請求項２２に記載の電流制御装置。
【請求項２４】
　前記第1の特定のボルトは4ボルトであり、前記第1の特定のアンペアは100mAであり、前記第2の特定のボルトは4.8ボルトであり、前記第2の特定のアンペアは300mAであることを特徴とする請求項２３に記載の電流制御装置。
【請求項２５】
　前記充電モジュールは充電された後に電源を提供できるほか、前記電流制御装置に入力された限られた電流源の電流に電圧レギュレータによるフィルタ処理を行うことを特徴とする請求項２０、２１、２２、２３、または請求項２４に記載の電流制御装置。
【請求項２６】
　前記第3の電子装置の転送インタフェースはUSBインタフェースであることを特徴とする請求項２０、２１、２２、２３、または請求項２４に記載の電流制御装置。
【請求項２７】
　前記第3の電子装置の転送インタフェースはPCMCIAインタフェースであることを特徴と
する請求項２０、２１、２２、２３、または請求項２４に記載の電流制御装置。
【請求項２８】
　前記第3の電子装置の転送インタフェースはIEEE1394インタフェースであることを特徴
とする請求項２０、２１、２２、２３、または請求項２４に記載の電流制御装置。
【請求項２９】
　前記第3の電子装置はノートブックパソコンであることを特徴とする請求項２０、２１
、２２、２３、または請求項２４に記載の電流制御装置。
【請求項３０】
　前記第3の電子装置はデスクトップパソコンであることを特徴とする請求項２０、２１
、２２、２３、または請求項２４に記載の電流制御装置。
【請求項３１】
　前記第4の電子装置の転送インタフェースはUSBインタフェースであることを特徴とする請求項２０、２１、２２、２３、または請求項２４に記載の電流制御装置。
【請求項３２】
　前記第4の電子装置の転送インタフェースはPCMCIAインタフェースであることを特徴と
する請求項２０、２１、２２、２３、または請求項２４に記載の電流制御装置。
【請求項３３】
　前記第4の電子装置の転送インタフェースはIEEE1394インタフェースであることを特徴
とする請求項２０、２１、２２、２３、または請求項２４に記載の電流制御装置。
【請求項３４】
　前記第4の電子装置はハードディスクであることを特徴とする請求項２０、２１、２２
、２３、または請求項２４に記載の電流制御装置。
【請求項３５】
　前記第4の電子装置は光ディスクプレーヤーであることを特徴とする請求項２０、２１
、２２、２３、または請求項２４に記載の電流制御装置。
【請求項３６】
　前記第4の電子装置は光ディスクレコーダーであることを特徴とする請求項２０、２１
、２２、２３、または請求項２４に記載の電流制御装置。
【発明の詳細な説明】
【技術分野】
【０００１】
　本発明は電流制御装置及び方法に関するもので、更に詳しくは、2つの電子装置の間に
応用され、パワーサプライを外付けする必要なく、入力された限られた電流源の電流を調整増幅し、出力するとともに、入力された電流源の限られた定格電流に電圧レギュレータによるフィルタ処理を行い、電圧レギュレータによるフィルタ処理後の定格電流を出力できる電流制御装置及び方法に関するものである。即ち、この電流制御装置は、入力された限られた電流源の電流を調整増幅するほか、入力された限られた電流源の定格電流に電圧レギュレータによるフィルタ処理を行うことができる。
【背景技術】
【０００２】
　現在の電子装置、例えばパソコン、ノートブックパソコンは、常にUSB、PCMCIA、及びIEEE1394等の出力転送インタフェースを有し、これらのUSB、PCMCIA、及びIEEE1394転送インタフェースは信号を出力し、信号や定格電流を限られた電流源として、これらの転送インタフェースに接続されたその他の電子装置、例えばUSB、PCMCIA、及びIEEE1394を有す
るハードディスク、光ディスクプレーヤー、光ディスクレコーダーに提供できる。
【０００３】
　一般的に、デスクトップパソコン、又はノートブックパソコンは、USB、PCMCIA、及びIEEE1394等の出力転送インタフェースを用いて、外付けの携帯式ハードディスク、光ディ
スクプレーヤー、光ディスクレコーダーにリンクする場合、常にデスクトップパソコン、ノートブックパソコンをサーバとし、携帯式ハードディスク、光ディスクプレーヤー、光ディスクレコーダーをクライアントとする。
【０００４】
　このようなサーバ形態において、よく生じる状況はUSB、PCMCIA、及びIEEE1394転送イ
ンタフェース規範内にある定格電流が制限されることである。例えば、USBインタフェー
スは500mAであるが、ハードディスク、光ディスクプレーヤー、光ディスクレコーダーは
常により強い電流でなければ、一部のハードディスクのデータの読み書き、光ディスクの書き込みを行うことができなくなるため、サーバであるデスクトップパソコン、ノートブックパソコンにリンクされているクライアント装置が外付けの携帯式ハードディスク、光ディスクプレーヤー、光ディスクレコーダーである場合、ハードディスク、光ディスクプレーヤー、光ディスクレコーダーが消費電流の大きい電子装置であるため、デスクトップパソコン、ノートブックパソコン、及びハードディスク、光ディスクプレーヤー、光ディスクレコーダーとリンクする場合、過剰負荷によってデスクトップパソコン、ノートブックパソコンがより強い電流をハードディスク、光ディスクプレーヤー、光ディスクレコーダーに提供できなくなり、データの読み書き、光ディスクの書き込みのような操作をスタートできなくなる。このような状況においては、過剰負荷のためにデスクトップパソコン、ノートブックパソコンの電流保護回路を起動して、USB、PCMCIA、及びIEEE1394インタ
フェース出力電源をオフにする。一般的にこのような問題を解決するには、外付けの携帯式ハードディスク、光ディスクプレーヤー、光ディスクレコーダーが使用できるように、別に外付けのパワーサプライを提供する必要がある。
【０００５】
　故に上記の従来の状況をいかに克服し、即ち、別に外付けのパワーサプライを提供することなく、より強い電流を提供することで、外付けの携帯式ハードディスク、光ディスクプレーヤー、光ディスクレコーダーが一部のハードディスクのデータの読み書き、光ディスクの書き込みを行えるようにするかが真に解決すべき問題である。
【発明の開示】
【０００６】
　本発明は、2つの電子装置の間に応用され、パワーサプライを外付けする必要なく、入
力された限られた電流源の電流を調整増幅し出力でき、調整増幅された電流をその他の外付けの携帯式電子装置が使用できるようにする電流制御装置及び方法を提供することを目的とする。
【０００７】
　また、本発明は、2つの電子装置の間に応用され、パワーサプライを外付する必要なく
、入力された限られた電流源の定格電流に電圧レギュレータによるフィルタ処理を行い、フィルタ処理後の定格電流を出力して、当該定格電流をその他の外付の携帯式電子装置が使用できるようにする電流制御装置及び方法を提供することを目的とする。
【０００８】
　また、本発明は、2つの電子装置の間に応用され、パワーサプライを外付けする必要な
く、入力された限られた電流源の電流を調整増幅し出力でき、調整増幅された電流をその他の外付けの携帯式電子装置が使用できるとともに、入力された限られた電流源の定格電流に電圧レギュレータによるフィルタ処理を行い、電圧レギュレータによるフィルタ処理後の定格電流を出力して、当該定格電流をその他の外付けの携帯式電子装置が使用できるようにし、即ち、入力された限られた電流源の電流を調整増幅するほか、入力された限られた電流源の定格電流に電圧レギュレータによるフィルタ処理を行えるようにする電流制御装置及び方法を提供することを目的とする。
【０００９】
　上記の目的に鑑みて、本発明は、2つの電子装置の間に応用され、パワーサプライを外
付けする必要がなく、入力された限られた電流源の電流を調整増幅し出力できるとともに、入力された限られた電流源の定格電流に電圧レギュレータによるフィルタ処理を行い、電圧レギュレータによる処理を終えた定格電流を出力し、即ち、入力された限られた電流源の電流を調整増幅するほか、入力された限られた電流源の定格電流に電圧レギュレータによるフィルタ処理を行えるようにする新規の電流制御装置及び方法を提供する。
【００１０】
　本発明に係る電流制御装置は、2つの電子装置の間に応用され、この電流制御装置の1つの転送インタフェースは電子装置の1つの転送インタフェースとリンクしており、この電
流制御装置の他の転送インタフェースは電子装置の他の転送インタフェースとリンクしている。この電流制御装置は、パワーサプライを外付けすることなく、電子装置の1つの転
送インタフェースからの入力電流を調整増幅し、入力された限られた電流源の定格電流に電圧レギュレータによるフィルタ処理を行い、この調整増幅された電流、又は電圧レギュレータによる処理後の限られた電流源の定格電流を、この電流制御装置にリンクされた他の電子装置が使用できるように転送する。
【００１１】
　電流制御装置は、充電モジュールを含んでおり、電流制御のプロセスにおいて、先ず、第1の電子装置の転送インタフェースからの限られた電流源の電流を用い、この充電モジ
ュールに充電を行う。次に、当該充電モジュールは充電された後に電源を提供でき、充電モジュールから提供された電源は、この電流制御装置に入力された第1の電子装置の転送
インタフェースからの限られた電流源の電流と併合し、併合された電源電流を、電流制御装置の転送インタフェース、及び第2の電子装置の転送インタフェースにより、第2の電子装置が使用できるように出力する。この電流制御のプロセスにおいて、電流制御装置は、第2の電子装置に調整増幅された電流を提供するとともに、第1の電子装置からの限られた電流源の定格電流を第2の電子装置が使用できるように提供できる。この場合、電流制御
装置は、第1の電子装置の転送インタフェースからの限られた電流源の電流に電圧レギュ
レータによるフィルタ処理を行い、限られた電流源からの定格電流を電流制御装置から出力し、第2の電子装置の転送インタフェースにより、第2の電子装置が使用できるように提供する。
【発明を実施するための最良の形態】
【００１２】
　本発明に係る上記とその他の目的、特徴、及び利点をもっと分かりやすくするために、
好ましい実施例を挙げ添付の図面に沿いながら、本発明に係る実施例を詳しく説明する。
【００１３】
　図１は本発明に係る電流制御装置が2つの電子装置とリンクしている作動状況のイメー
ジを示す。図１に示すように、電流制御装置2は電子装置1と電子装置3との間に応用され
、この電流装置2の転送インタフェース 21は電子装置1の転送インタフェース 11とリンクしており、この電流制御装置2の他の転送インタフェース 22は電子装置3の転送インタフ
ェース 31とリンクしている。ここで、電子装置1はデスクトップパソコン、又はノートブックパソコンであり、電子装置3はハードディスク、光ディスクプレーヤー、又は光ディ
スクレコーダーであり、転送インタフェース 11、転送インタフェース 21、転送インタフェース22、転送インタフェース31は、USBインタフェース、PCMCIAインタフェース、又はIEEE1394インタフェースであって良い。
【００１４】
　この電流制御装置2は、パワーサプライを外付けすることなく、電子装置1の転送インタフェース11からの入力電流を転送インターフェース21により調整増幅し、転送インタフェース 11、転送インタフェース 21から入力された限られた電流源の定格電流に電圧レギュレータによるフィルタ処理を行い、この調整増幅された電流、又は電圧レギュレータによる処理後の限られた電流源の定格電流を、転送インタフェース 22、転送インタフェース31を通し、この電流制御装置2にリンクされた他の電子装置3が使用できるように転送する
。
【００１５】
　電流制御装置2は、充電モジュール23を含んでおり、ここで、電流制御装置2は、デスクトップパソコン、ノートブックパソコンであり、当該充電モジュール23は電容量を含む充電回路からなるか、若しくは充電電池を含む充電回路から構成することが可能である。電流制御装置2は、電子装置1の転送インタフェース 11からの限られた電流源の電流により
、当該充電モジュール 23に充電を行う。当該充電モジュール 23は、充電された後に電源を提供でき、充電モジュール23から提供された電源は、この電流制御装置2に入力された
電子装置1の転送インタフェース11からの限られた電流源の電流と併合し、併合された電
源電流を、電流制御装置2の転送インタフェース22、及び電子装置3の転送インタフェース31を通し、電子装置3が使用できるように出力する。電流制御装置2は、電子装置3に調整
増幅された電流を提供するとともに、電子装置1からの限られた電流源の定格電流を電子
装置3が使用できるように提供できる。この場合、電流制御装置2は、電子装置1の転送イ
ンタフェース11からの限られた電流源の電流に、電圧レギュレータによるフィルタ処理を行い、限られた電流源からの定格電流を電流制御装置2の転送インタフェース 22から出力し、電子装置3の転送インタフェース3を通して、電子装置31が使用できるように提供する。
【００１６】
　図２は、図１における本発明に係る電流制御装置を応用し、電流制御方法のプロセスを行う動作フローを示す。ここで、電子装置1はデスクトップパソコン、又はノートブック
パソコンであり、電子装置3はハードディスク、光ディスクプレーヤー、又は光ディスク
レコーダーであり、転送インタフェース 11、転送インタフェース 21、転送インタフェース22、転送インタフェース31は、USBインタフェース、PCMCIAインタフェース、又はIEEE1394インタフェースであって良い。
【００１７】
　図２に示すように、ステップ41において、電流制御装置2の1つの転送インタフェース21が電子装置1の転送インタフェース 11とリンクし、もうひとつの転送インタフェース 22
が他の電子装置3の転送インタフェース 31とリンクした後、電子装置3の作動状況に応じ
て、電子装置3が何らかの作動例えば、ハードディスクデータの読み書き、光ディスクの
書き込みなどをスタートできるように、より強い電流を必要とする場合、電流制御装置2
は入力された限られた電流源の電流を調整増幅して出力し、ステップ42に入り、電子装置3がより大きい電流を必要としない場合、電流制御装置2は入力された限られた電流源の定
格電流に電圧レギュレータによるフィルタ処理を行って出力するだけで、ステップ43に入る。
【００１８】
　ステップ42において、電流制御装置2は電子装置1の転送インタフェース11からの限られた電流源の電流を調整増幅し、調整増幅された電流を、転送インタフェース22、及び電子装置3の転送インタフェース31を通して、電子装置3が使用できるように提供する。
【００１９】
　ステップ43において、電流制御装置2は、電子装置1の転送インタフェース11からの限られた電流源の電流に電圧レギュレータによるフィルタ処理を行い、限られた電流源からの定格電流を、転送インタフェース22、及び電子装置3の転送インタフェース31を通して、
電子装置3が使用できるように提供する。
【００２０】
　図３は図２における本発明に係る電流制御方法を行う電流調整増幅プロセスのフローを示す。図２に示すように、先ずはステップ421において、電流制御装置2は、電子装置1の
転送インタフェース11からの限られた電流源の電流により、充電モジュール23に充電を行い、ステップ422に入る。
【００２１】
　ステップ422において、当該充電モジュール23は充電された後に電源を提供でき、充電
モジュール23から提供された電源は、この電流制御装置2に入力された電子装置1の転送インタフェース11からの限られた電流源の電流と併合し、併合された電源電流を、電流制御装置2の転送インタフェース22、及び電子装置3の転送インタフェース31を通して、電子装置3が使用できるように出力する。ここでは、調整増幅された電流を、電子装置3が必要とする何らかの瞬間に使用できるように提供し、若しくは電子装置3が必要とする何らかの
特定時間帯に使用できるように提供することが可能である。
【００２２】
　図４はブロック図であり、図１における本発明に係る電流制御装置の基本システム構成を示す。ここで、電子装置1はデスクトップパソコン、又はノートブックパソコンであり
、電子装置3はハードディスク、光ディスクプレーヤー、又は光ディスクレコーダーであ
り、転送インタフェース 11、転送インタフェース 21、転送インタフェース22、転送インタフェース31は、USBインタフェース、PCMCIAインタフェース、又はIEEE1394インタフェ
ースであることができる。
【００２３】
　図４に示すように、電流制御装置2は、電子装置1と電子装置3との間に応用され、この
電流制御装置2の転送インタフェース21は電子装置1の転送インタフェース11とリンクしており、この電流制御装置2の転送インタフェース22は電子装置3の転送インタフェース31とリンクしている。この電流制御装置2は、パワーサプライを外付けすることなく、この電
流制御装置2に入力された電流源の電流を調整増幅して出力できる。
【００２４】
　電流制御装置2は充電モジュール 23、電流制御回路モジュール24、及び電源混合制御モジュール25を含んでおり、充電モジュール 23は、電流制御回路モジュール24からの電流
で充電の動作を行い、充電された後に電源を提供できるとともに、この電流制御装置2に
入力された限られた電流源の電流に電圧レギュレータによるフィルタ処理を行うこともできる。電流制御回路モジュール24は、電子装置1の転送インタフェース 11からの限られた電流源の電流を制御し監視して、充電モジュール 23に充電を行い、充電モジュール 23が特定のボルト、例えば4.8ボルトまで充電されると、この電流制御回路モジュール24は電
源混合制御モジュール25の併合型スイッチ251をスタートし、電源混合制御モジュール25
が充電モジュール 23からの電源、及び電子装置1の転送インタフェース 11からの限られ
た電流源の電源とを併合するようにする。電源混合制御モジュール25は併合型スイッチ251を含んで、充電モジュール 23の充電が完成する直前に、電流制御回路モジュール24の制御により、電子装置1の転送インタフェース11からの限られた電流源の給電電流、及び充
電モジュール23の充電完成後に提供された電源を併合し、併合された電流を転送インタフェース 22、及び電子装置3の転送インタフェース31を通して、電子装置3に使用できるよ
うに提供する。
【００２５】
　図５はブロック図であり、図４における本発明に係る電流制御装置の電流制御回路モジュールの構成を示す。図５に示すように、電流制御装置回路モジュール24は制限電流源自動充電回路241、電流増幅回路242、及びマイクロプロセッサー回路243を含む。
【００２６】
　制限電流源自動充電回路241は、電子装置1の転送インタフェース11からの限られた電流源の電源を受け取り、この電源によって充電モジュール23に充電を行う。電流増幅回路242は、制限電流源自動充電回路241が充電モジュール23を特定のボルト、例えば4ボルトに
到達させた後に、制限電流源自動充電回路241の充電モジュール23に対する充電電流を特
定のアンペア以下、例えば100mA以下に低下させることとなる。この場合、この電流増幅
回路242は特定のアンペア電流、例えば300mAを提供し、充電モジュール 23に充電を行い
続ける。マイクロプロセッサー回路243は、制限電流源自動充電回路241、及び電流増幅回路242を制御、監視して、充電モジュール 23に定電流の充電をいかに行うかを決め、信号を充電指示ライト200に転送し、充電進度を指示する。充電モジュール23が特定のボルト
、例えば4.8ボルトまで充電された後に、電源混合制御モジュール25の併合型スイッチ251が作動し、電源混合制御モジュール25が電子装置1の転送インタフェース11からの限られ
た電流源の給電電流、及び充電モジュール23の充電完成後に提供された電源を併合し、併合された電流を転送インタフェース 22、及び電子装置3の転送インタフェース31を通し、電子装置3が使用できるように提供する。
【００２７】
　図６〜８は回路図であり、図４と図５における本発明に係る電流制御装置の実施回路構成を示す。図６〜８に示すように、回路CNT1は電子装置1の転送インタフェース11であり
、CNT2は電子装置3の転送インタフェース31であり、回路UIA、Q1-1は制限電流源自動充電回路241であり、回路Q1-2は電流増幅回路242であり、回路U3、U1B、U1C、U1D、U2Aはマイクロプロセッサー回路243であり、回路LT1-LT5は充電指示ライト200であり、回路GC1、GC2は充電モジュール 23であり、回路Q2-1、Q2-2は電源混合制御モジュール25である。
【００２８】
　図９は動作フローであり、図３における電流制御方法を行う電流調整増幅プロセスの充電フローを示す。図９に示すように、ステップ4211において、充電プロセスを始める場合、充電モジュール 23の電圧が2.5ボルトに達すると、マイクロプロセッサー回路243がス
タートし、制限電流源自動充電回路241は電子装置1の転送インタフェース11からの限られた電流源の電源を受け取り、電流がある場合、自動的にスタートし、固定の電流、例えばUSBインタフェースの350mAの電流によって充電モジュール23に充電を行い、ステップ4212に入る。
【００２９】
　ステップ4212において、充電モジュール 23の電圧が4ボルトより大きいかを判定し、充電モジュール 23の電圧が4ボルトより小さい場合、当該ステップ4211に戻って充電モジュール 23に充電を行い続け、充電モジュール 23の電圧が4ボルトより大きい場合、ステッ
プ4213に入る。
【００３０】
　ステップ4213において、電流増幅回路242をスタートし、制限電流源自動充電回路241が充電モジュール 23を4ボルトに到達させた後に、充電電流が100mA以下に低下されること
となる。この場合、電流増幅回路242がより大きい電流を提供して充電を補充し、充電電
流を300mAに到達させ、充電モジュール 23に充電を行い続け、ステップ4214に入る。
【００３１】
　ステップ4214において、充電モジュール 23の電圧が4.8ボルトより大きいかを判定し、充電モジュール 23の電圧が4.8ボルトより小さい場合、当該ステップ4213に戻って充電モ
ジュール 23に充電を行い続け、充電モジュール 23の電圧が4.8ボルトより大きい場合、
ステップ4215に入る。
【００３２】
　ステップ4215において、充電モジュール 23が4.8ボルトまで充電された後に、電源混合制御モジュール25の併合型スイッチ251がスタートし、電子装置1の転送インタフェース11からの限られた電流源の給電電流、及び充電モジュール 23の電源出力点を併合し、電圧
レギュレータの機能を図り、ステップ4216に入る。
【００３３】
　ステップ4216において、限られた電流源の給電電流と充電モジュール 23の電源出力点
との併合について、電圧安定が4.95ボルトより大きいかを判定し、電圧が4.95ボルトより小さい場合、ステップ4215に戻り、電圧が4.95より大きい場合、ステップ4217に入る。
【００３４】
　ステップ4217において、併合された電源を電流混合制御モジュール25の併合型スイッチ251により、転送インタフェース 22、及び電子装置3の転送インタフェース31を通して、
電子装置3が使用できるように提供する。
【００３５】
　上記の実施例から分かるように、本発明に係る電流制御装置及び方法は、2つの電子装
置の間に応用され、この電流制御装置の1つの転送インタフェースは電子装置の1つの転送インタフェースとリンクしており、この電流制御装置のもうひとつの転送インタフェースは他の電子装置の転送インタフェースとリンクしている。この電流制御装置は、パワーサプライを外付けすることなく、１つの電子装置の転送インタフェースからの入力電流を調整増幅し、入力された限られた電流源の定格電流に電圧レギュレータによるフィルタ処理を行い、この調整増幅された電流、又は電圧レギュレータによるフィルタ処理後の限られた電流源の定格電流を、この電流制御装置にリンクされた別の電子装置が使用できるように転送する。充電モジュールを含めるこの電流制御装置は、第1の電子装置と第2の電子装置との間に応用可能であり、電流制御方法を行う場合、第1の電子装置の転送インタフェ
ースからの限られた電流源の電流により、充電モジュールに充電を行う。当該充電モジュールは充電された後に電源を提供でき、充電モジュールから提供された電源は、この電流制御装置に入力された第1の電子装置の転送インタフェースからの限られた電流源の電流
と併合し、併合された電源電流を、電流制御装置の転送インタフェース、及び第2の電子
装置の転送インタフェースを通し、第2の電子装置が使用できるように出力する。当該電
流制御方法において、電流制御装置は、第2の電子装置に調整増幅された電流を提供する
とともに、第1の電子装置からの限られた電流源の定格電流を第2の電子装置が使用できるように提供する。この場合、電流制御装置は、第1の電子装置の転送インタフェースから
の限られた電流源の電流に電圧レギュレータによるフィルタ処理を行い、限られた電流源からの定格電流を電流制御装置から出力し、第2の電子装置の転送インタフェースを通し
て、第2の電子装置が使用できるように提供する。本発明に係る電流制御装置及び方法に
は以下のような利点がある。
【００３６】
　1、2つの電子装置の間に応用され、パワーサプライを外付けする必要なく、入力された限られた電流源の電流を調整増幅して出力でき、調整増幅された電流をその他の外付けの携帯式電子装置が使用できるようにする電流制御装置及び方法を提供している。
【００３７】
　2、入力された限られた電流源の電流を調整増幅して出力し、調整増幅された電流をそ
の他の外付けの携帯式電子装置が使用できるようにするとともに、入力された限られた電流源の定格電流に電圧レギュレータによるフィルタ処理を行い、当該定格電流を出力して、電圧レギュレータによる処理後の定格電流をその他の外付けの携帯式電子装置が使用できるようにし、即ち、入力された限られた電流源の電流を調整増幅するほか、入力された限られた電流源の定格電流に電圧レギュレータによるフィルタ処理を行えるようにする電流制御装置及び方法を提供している。
【００３８】
　これらの実施例は本発明を例示する目的で示すものであり、本発明の具体的な構成はこの実施例に限定されるものではなく、発明の要旨を逸脱しない範囲内で数々の変更態様が可能であることは言うまでもない。
【図面の簡単な説明】
【００３９】
【図１】本発明に係る電流制御装置が2つの電子装置とリンクしている作動状況のイメージを示す図である。
【図２】図１における本発明に係る電流制御装置を応用し、電流制御方法のプロセスを行う動作フローを示す図である。
【図３】図２における本発明に係る電流制御方法を行う電流調整増幅プロセスのフローを示す図である。
【図４】ブロック図であり、図１における本発明に係る電流制御装置の基本システム構成を示す図である。
【図５】ブロック図であり、図４における本発明に係る電流制御装置の電流制御回路モジュールの構成を示す図である。
【図６】図４の充電モジュールと、電源混合制御モジュールと、図５の制限電源自動充電回路と電流増幅回路を応用した回路図である。
【図７】図５のマイクロプロセッサー回路の詳細を示す回路図である。
【図８】図５のマイクロプロセッサー回路と充電指示燈の接続回路を示す図である。
【図９】動作フローであり、図３における電流制御方法を行う電流調整増幅プロセスの充電フローを示す図である。
【符号の説明】
【００４０】
　１、３　電子装置、２　電流制御装置、１１、２１、２２、３１　転送インタフェース、２３　充電モジュール、２４　電流制御回路モジュール、２５　電源混合制御モジュール、２５１　併合型スイッチ、２４１　制限電流源自動充電回路、２４２　電流増幅回路、２４３　マイクロプロセッサー回路、２００　充電指示ライト
【図１】
2004078951.tif 000003
【図２】
2004078951.tif 000004
【図３】
2004078951.tif 000005
【図４】
2004078951.tif 000006
【図５】
2004078951.tif 000007
【図６】
2004078951.tif 000008
【図７】
2004078951.tif 000009
【図８】
2004078951.tif 000010
【図９】
2004078951.tif 000011